(57)【要約】【目的】簡易・迅速に組み立て可能なマンホール柵を提供すること。【構成】請求項１に記載のマンホール柵は、方形のフレームを連結して形成されるマンホール用柵において、連結される一方フレームは軸体及び孔部を備え、他方フレームは前記軸体を嵌入可能な孔部及び前記孔部に嵌入可能な軸体を備え、これら一方フレームの軸体と他方フレームの軸体の長さを異なるものと構成した。請求項２に記載のマンホール柵は、方形のフレームを連結して形成されるマンホール用柵において、連結される一方フレームは長さの異なる複数の軸体を備え、他方フレームは前記軸体を嵌入可能な複数の孔部を備えて構成した。【選択図】        図１
2019138023.tif 000002
【特許請求の範囲】
【請求項１】
方形のフレームを連結して形成されるマンホール用柵であって、連結される一方フレームは軸体及び孔部を備え、他方フレームは前記軸体を嵌入可能な孔部及び前記孔部に嵌入可能な軸体を備え、これら一方フレームの軸体と他方フレームの軸体の長さを異なるものとしたマンホール柵。
【請求項２】
方形のフレームを連結して形成されるマンホール用柵であって、連結される一方フレームは長さの異なる複数の軸体を備え、他方フレームは前記軸体を嵌入可能な複数の孔部を備えたマンホール柵。
【請求項３】
フレームの下部に揺動可能な幅木を取り付けた請求項１又は請求項２に記載のマンホール柵。
【請求項４】
上部において略水平方向に延設された腕材を備えたポールを、フレームに取り付けた請求項１乃至請求項３いずれかに記載のマンホール柵。
【請求項５】
フレーム間にわたって枠材を掛け渡して、送風機支持枠を形成した請求項１乃至請求項４いずれかに記載のマンホール柵。
【請求項６】
フレーム下端にアジャスターを取り付けた請求項１乃至請求項５いずれかに記載のマンホール柵。
【請求項７】
フレームの下部に網体を取り付けた請求項１乃至請求項６いずれかに記載のマンホール柵。
【請求項８】
フレームの下部に複数の通気孔を備えた樹脂板を取り付けた請求項１乃至請求項６いずれかに記載のマンホール柵。
【発明の詳細な説明】
【技術分野】
【０００１】
本発明は、マンホール柵に関するものであり、より詳しくはマンホールの周囲に設置して作業員や通行人の転落を防止するために用いられるマンホール柵に関する。
【背景技術】
【０００２】
建築物の地下受水槽や地中埋設管等へ作業者が出入りするための立坑であるマンホールには、その内周に作業員が昇降するための多数のタラップが取り付けられると共に、地上開口部には金属製のマンホール蓋が嵌脱可能に嵌め込まれている。
【０００３】
この種のマンホールは、作業者が出入りする際のみならず、内部での作業中にもマンホール蓋を外して開放したままの状態を維持することが多い。
【０００４】
ところが、通常マンホールは路面等に設けられているため、その上を第三者が通行する場合もあり、マンホール蓋を開放したままでは、歩行者が過って墜落したり、資材等を過って落下させてしまう恐れがある。
【０００５】
したがって従来は、このような危険を回避するため、マンホール蓋を取り外してマンホールを開放する際には、その地上開口部の周囲に墜落防止用の柵を仮設している。
【０００６】
特許文献１には、本体下部に突出した係止脚をマンホール開口部内に挿入してマンホールの周囲を覆った状態に固定した、マンホール用安全柵が開示されている。
【先行技術文献】
【特許文献】
【０００７】
【特許文献１】実開平６−６３６４８号公報
【発明の開示】
【発明が解決しようとする課題】
【０００８】
従来の一般的な墜落防止柵は、方形の金属製フレームに金網や適宜の注意表示を施した表示板を固定し、これを４組用意して相互間を適宜のブラケットで連結し、マンホールの開口部を囲むように立設されている。
【０００９】
ところが、かかる従来の防止柵の設置・組立作業は手間である。そこで本発明は簡易・迅速に組み立て可能なマンホール柵を提供することを目的とする。
【課題を解決するための手段】
【００１０】
上記の目的を達成する本考案の構成は以下の通りである。
【００１１】
（１) 請求項１に記載のマンホール柵は、方形のフレームを連結して形成されるマンホール用柵において、連結される一方フレームは軸体及び孔部を備え、他方フレームは前記軸体を嵌入可能な孔部及び前記孔部に嵌入可能な軸体を備え、これら一方フレームの軸体と他方フレームの軸体の長さを異なるものと構成した。
【００１２】
（２) 請求項２に記載のマンホール柵は、方形のフレームを連結して形成されるマンホール用柵において、連結される一方フレームは長さの異なる複数の軸体を備え、他方フレームは前記軸体を嵌入可能な複数の孔部を備えて構成した。
【００１３】
（３) 請求項３に記載の発明は、請求項１又は請求項２に記載のマンホール柵において、フレームの下部に揺動可能な幅木を取り付け構成した。
【００１４】
（４) 請求項４に記載の発明は、請求項１乃至請求項３いずれかに記載のマンホール柵において、上部において略水平方向に延設された腕材を備えたポールを、フレームに取り付け構成した。
【００１５】
（５) 請求項５に記載の発明は、請求項１乃至請求４いずれかに記載のマンホール柵において、フレーム間にわたって枠材を掛け渡して、送風機支持枠を構成した。
【００１６】
（６) 請求項６に記載の発明は、請求項１乃至請求項５いずれかに記載のマンホール柵において、フレーム下端にアジャスターを取り付け構成した。
【００１７】
（７) 請求項７に記載の発明は、請求項１乃至請求項６いずれかに記載のマンホール柵において、フレームの下部に網体を取り付け構成した。
【００１８】
（８) 請求項８に記載の発明は、請求項１乃至請求項６いずれかに記載のマンホール柵において、フレームの下部に複数の通気孔を備えた樹脂板を取り付け構成した。
【発明の効果】
【００１９】
上記のように構成される本発明が、如何に作用して課題を解決するかを図面を参照しながら概説する。なお、各図におけるＵとは上方を、Ｄは下方を、Ｒは右方向を、Ｌは左方向を意味するものである。
【００２０】
図１５は請求項１に記載の発明の、フレーム同士を連結する過程を示す説明図である。一方フレーム１０の軸体１１は、他方フレーム２０の軸体２１よりも図中上下方向長さが短く形成してある。また、フレーム１０を構成するパイプ体１２は内部が空洞であり。この空洞部が孔部となるものである。同じく、フレーム２０を構成するパイプ体２２は内部が空洞であり、この空洞部が孔部となるものである。
【００２１】
具体的な連結・組立工程は、まず図１５Ａに示すようにフレーム１０とフレーム２０を近づける。次いで図１５Ｂに示すようにフレーム１０を持ち上げ、軸体１１をパイプ体２２の上方に、パイプ体１２を軸体２１の上方にもってくる。次いで図１５Ｃに示すように、フレーム１０を下方に降ろすことで、パイプ体１２，２２の中にそれぞれ軸体２１，１１を嵌入するものである。
【００２２】
この際、軸体２１の長さが軸体１１の長さより長いことから、軸体２１がパイプ体１２内に嵌入される開始時点では、未だ軸体１１はパイプ体２２への嵌入過程には入っていない。それゆえ、軸体２１のパイプ体１２への嵌入過程が、軸体１１のパイプ体２２への嵌入過程のガイドとなり、スムーズな嵌入が可能となるのである。
【００２３】
これに対し、仮に軸体１１と軸体２１の長さが同一であれば、軸体１１の下端とパイプ体２２の孔部上端面を合わせると同時に、軸体２１の上端とパイプ体１２の孔部下端面を合わせ、しかも上下・左右・前後方向の角度を一致させたうえで嵌入工程を行う必要がある。かかる作業は、重量のあるフレームを手で持ちながら行うには難易度の高いものである。しかるに、上述の通り本発明のように軸体１１と軸体２１の長さを異なるものとすれば、まずは長い軸体２１の上端面にパイプ体１２の孔部下端面を位置決めし、そのまま嵌入過程を行えば、上下・左右・前後方向の角度は、この嵌入過程がガイドとなり、自動的に好適な角度となり、軸体１１のパイプ体２２へのスムーズな嵌入、しいては容易な組立が可能となるのである。
【００２４】
図１６は請求項２に記載の発明の、フレーム同士を連結する過程を示す説明図である。一方フレーム３０には上下方向の長さの異なる二個の軸体３１,３２が設けてある。他方のフレーム４０には円筒形を呈する孔部４１,４２が設けてある。
【００２５】
具体的な連結・組立工程は、まず図１６Ａに示すようにフレーム３０とフレーム４０を近づける。次いで図１６Ｂに示すようにフレーム４０を持ち上げ、孔部４１を軸体３１の上方に、孔部４２を軸体３２の上方にもってくる。次いで図１６Ｃに示すように、フレーム４０を下方に降ろすことで、孔部４１，４２の中にそれぞれ軸体３１，３２を嵌入するものである。
【００２６】
この際、軸体３２の長さが軸体３１の長さより長いことから、軸体３２が孔部４２内に嵌入される開始時点では、未だ軸体３１は孔部４１への嵌入過程には入っていない。それゆえ、軸体３２の孔部４２への嵌入過程が、軸体３１の孔部４１への嵌入過程のガイドとなり、スムーズな嵌入が可能となるのである。
【００２７】
これに対し、仮に軸体３１と軸体３２の長さが同一であれば、軸体３１の上端と孔部４１の下端面を合わせると同時に、軸体３２の上端と孔部４２の下端面を合わせ、しかも上下・左右・前後方向の角度を一致させたうえで嵌入工程を行う必要がある。かかる作業は、重量のあるフレームを手で持ちながら行うには難易度の高いものである。しかるに、上述の通り本発明のように軸体３１と軸体３２の長さを異なるものとすれば、まずは長い軸体３２の上端面に孔部４２の下端面を位置決めし、そのまま嵌入過程を行えば、上下・左右・前後方向の角度は、この嵌入過程がガイドとなり、自動的に好適な角度となり、軸体３１の孔部４１へのスムーズな嵌入、しいては容易な組立が可能となるのである。
【００２８】
請求項３に記載の発明では、図２に示すようにフレームの下部に板状の幅木７０を、パイプ４３に対して揺動可能に取り付けてある。揺動可能に構成してあることから、幅木７０を上方に回転させ、マンホールの蓋をマンホール柵の外部に出せるという効果を生むことが可能となる。なお、図２においては幅木７０はパイプ６３に対してのみ取り付けた状態を作図してあるが、通常は他のフレームの下端のパイプ５３,９３,１１３にも取付られるものである。
【００２９】
請求項４に記載の発明では、図１に示すように、上部において略水平方向に延設された腕材７３を備えたポール７２をフレームに取り付けてある。このポール７２は安全帯を取り付けるための安全ブロックとして使用するものであり、マンホール内への昇降作業を安全に行うことが可能となるものである。なお、図１においてはポール７２をフレーム５０に取り付けているが、フレーム６０、フレーム９０、フレーム１１０にも取り付け可能なものである。
【００３０】
請求項５に記載の発明では、図２に示すようにフレーム間にわたって枠材を掛け渡して送風機支持枠７４を形成してある。この支持枠７４に、マンホール内への送風を行う際に汎用のリング型送風機を嵌め込み使用するものである。ここにリング型送風機とは、マンホールの円形を呈する開口部に合わせた、一部が開放された円形の支持体に、無翼型送風機を複数係止した送風機である。かかる構造とすることで、マンホール内での酸欠事故の抑止を図るものである。
【００３１】
請求項６に記載の発明では、図１に示すようにフレーム下端にアジャスター８０を取り付け構成してある。かかる構造とすることで、道路の凹凸に対する調整が可能となり、マンホール柵の傾きを抑制することが可能となる。
【００３２】
請求項７に記載の発明では、図８に示すようにフレームの下部に網体８２を取り付けて構成してある。網体８２を取り付けることで、人や動物の侵入を防ぐことが可能となると共に、通風性を確保し、風圧によるマンホール柵の揺れや移動を抑制することが可能となる。なお、図８においては一つのフレームにのみ網体８２を取り付けた状態を作図してあるが、通常は他の三面にも網体８２を取り付けるものである。
【００３３】
請求項８に記載の発明では、フレームの下部に網体８２に代え、図１０に示される樹脂板８３を取り付けて構成してある。かかる構造とすることで人や動物の侵入を防ぐことが可能となるともに、樹脂板８３に複数の通気孔８４・・を設けることで、通風性を確保し、風圧によるマンホール柵の揺れや移動を抑制することが可能となる。
【図面の簡単な説明】
【００３４】
【図１】マンホール柵の斜視図
【図２】幅木を取り付けた状態のマンホール柵の斜視図
【図３】要部拡大説明図
【図４】送風機支持枠を取り付けた状態のマンホール柵の斜視図
【図５】Ａ  送風機支持枠の正面図            Ｂ  同、平面図            Ｃ  同、右側面図
【図６】送風機支持枠の斜視図
【図７】Ａ  アジャスターの正面図            Ｂ  同、斜視図
【図８】網体を取り付けた状態のマンホール柵の斜視図
【図９】網体の正面図
【図１０】樹脂板の正面図
【図１１】Ａ  フレームの正面図              Ｂ  同、平面図
【図１２】Ａ  フレームの正面図              Ｂ  同、平面図              Ｃ  同、底面図              Ｄ  同、左側面図
【図１３】Ａ  フレームの正面図              Ｂ  同、平面図              Ｃ  同、底面図
【図１４】Ａ  フレームの正面図              Ｂ  同、平面図              Ｃ  同、底面図
【図１５】連結工程を示す説明図
【図１６】連結工程を示す説明図
【発明を実施するための形態】
【００３５】
以下、好ましい本発明の構成要素の実施形態につき、図面を参照しながら概説する。なお、本発明構成要素の実施形態は、下記の実施形態に何ら限定されることはなく、本発明の技術的範囲に属する限り種々の形態を採りうる。
【００３６】
本発明に係るマンホール柵は、方形のフレームを連結して形成されるものである。例えば図１においては、４つのフレーム５０,６０,９０，１１０を連結してマンホール柵１００を形成している。以下、当該４つのフレームについて詳述する。
【００３７】
図１１はフレーム５０を示すものである。フレーム５０は上下に三本のパイプ５１,５２,５３が水平方向に並置され、その左右端にパイプ５４,５５が取り付けられるものである。なお、幅木７０をパイプ５３に取り付ける場合には、パイプ５３は円筒形状のものを使用する必要がある。
【００３８】
パイプ５４，５５の下端にはアジャスター８０が取り付けられており、該アジャスター８０の平板８０ａに軸体５６が設けられている。軸体５６は必ずしもアジャスタ８０に設ける必要はなく、パイプ５４，５５の下端に板材を取り付け、該板材に設けるようにしても構わない。また、パイプ５４,５５の上端は開放されており、それぞれ孔部５４ａ，５５ａが形成されている。
【００３９】
パイプ５２,５３,５４，５５で囲まれる四角形の空間の四隅には、網体８２或いは樹脂板８３を取り付けるための三角形状の板材５７が取り付けられている。この板材５７には孔部５７ａが設けられており、網体８２に設けた孔部８２ｃ或いは樹脂板８３に設けた孔部８３ｂに位置決めし、ビスなどで網体８２或いは樹脂板８３を固定するものである。
【００４０】
また、パイプ５１,５３には、ポール７２を取り付けるための板材５８が取り付けられている。板材５８にはビス孔５８ａが設けられており、ビスでポール７２を固定するものである。
【００４１】
パイプ５４及びパイプ５５の下部には、幅木７０を固定する際に使用する、方形の板材である固定板５９が取り付けられている。該固定板５９に設けられた孔部５９aと、幅木７０の両端に設けられた孔部（不図示）を合わせた状態で蝶ねじを嵌め、固定するものである。
【００４２】
図１２はフレーム６０を示すものである。フレーム６０は上下に三本のパイプ６１,６２,６３が水平方向に並置され、その左右端にパイプ６４,６５が取り付けられるものである。そして、右側のパイプ６５の下端には、アジャスター８０が取り付けられている。なお、幅木７０をパイプ６３に取り付ける場合には、パイプ６３は円筒形状のものを使用する必要がある。
【００４３】
左側のパイプ６４の上端には、方形の板材６６が取り付けられている。この板材６６には軸体６７が下方に向けて設けられており、フレーム５０の孔部５５aに嵌入されるものである。一方パイプ６４の下端は開放されており、孔部６４aが形成されている。この孔部６４aには、パネル５０の軸体５６が嵌入されるものである。そして、軸体５６は軸体６７よりも長尺に形成されている。かように構成することで請求項１に記載のマンホール柵を実施するものである。なお、板材６６には、下方に延設される二枚の支持板６６aが設けられている。この二枚の支持板６６a，６６aでパネル５０のパイプ５１を挟み込み、組立時のがたつきや、パネルが軸体を回転軸として回転することを抑制するものである。
【００４４】
パイプ６２,６３,６４,６５で囲まれる四角形の空間の四隅には、網体８２或いは樹脂板８３を取り付けるための三角形状の板材６８が取り付けられている。この板材６８には孔部６８ａが設けられており、網体８２に設けた孔部８２ｃ或いは樹脂板８３に設けた孔部８３ｂに位置決めし、ビスなどで網体８２或いは樹脂板８３を固定するものである。
【００４５】
また、パイプ６１,６３には、ポール７２を取り付けるための板材６１ａ、６３ａがそれぞれ取り付けられている。板材６１ａ，６３ａにはビス孔６１ｂ，６３ｂがそれぞれ設けられており、ビスでポール７２を固定するものである。
【００４６】
パイプ６４及びパイプ６５の下部には、幅木７０を固定する際に使用する、方形の板材である固定板６９が取り付けられている。該固定板６９に設けられた孔部６９aと、幅木７０の両端に設けられた孔部（不図示）を合わせた状態で蝶ねじを嵌め、固定するものである。
【００４７】
図１３はフレーム９０を示すものである。フレーム９０は上下に三本のパイプ９１,９２,９３が水平方向に並置され、その左右端にパイプ９４,９５が取り付けられるものである。そして、左側のパイプ９４の下端には、アジャスター８０が取り付けられている。なお、幅木７０をパイプ９３に取り付ける場合には、パイプ９３は円筒形状のものを使用する必要がある。
【００４８】
右側のパイプ９５の上端には、方形の板材９６が取り付けられている。この板材９６には軸体９７が下方に向けて設けられており、フレーム５０の孔部５４aに嵌入されるものである。一方パイプ９５の下端は開放されており、孔部９５ａが形成されている。この孔部９５aには、パネル５０の軸体５６が嵌入されるものである。そして、軸体５６は軸体９７よりも長尺に形成されている。かように構成することで請求項１に記載のマンホール柵を実施するものである。なお、板材９６には、下方に延設される二枚の支持板９６aが設けられている。この二枚の支持板９６a，９６aでパネル５０のパイプ５１を挟み込み、組立時のがたつきや、パネルが軸体を回転軸として回転することを抑制するものである。
【００４９】
パイプ９２,９３,９４,９５で囲まれる四角形の空間の四隅には、網体８２或いは樹脂板８３を取り付けるための三角形状の板材９８が取り付けられている。この板材９８には孔部９８ａが設けられており、網体８２に設けた孔部８２ｃ或いは樹脂板８３に設けた孔部８３ｂに位置決めし、ビスなどで網体８２或いは樹脂板８３を固定するものである。
【００５０】
また、パイプ９１,９３には、ポール７２を取り付けるための板材９１ａ、９３ａがそれぞれ取り付けられている。板材９１ａ、９３ａにはビス孔９１ｂ，９３ｂがそれぞれ設けられており、ビスでポール７２を固定するものである。
【００５１】
パイプ９４及びパイプ９５の下部には、幅木７０を固定する際に使用する、方形の板材である固定板９９が取り付けられている。該固定板９９に設けられた孔部９９aと、幅木７０の両端に設けられた孔部（不図示）を合わせた状態で蝶ねじを嵌め、固定するものである。
【００５２】
パイプ９４の左方には、軸体１０１及び軸体１０２が上方に向けて設けられている。この軸体１０１，１０２は、フレーム１１０のパイプ１１５に設けられた孔部１１５ａ，１１５ｂにそれぞれ嵌入されるものである。軸体１０１は軸体１０２よりも、上下方向長さが短く形成されている。かかる構造ゆえに、フレーム９０とフレーム１１０の接続構造は、請求項２に記載のマンホール柵を実施するものである。
【００５３】
図１４はフレーム１１０を示すものである。フレーム１１０は上下に三本のパイプ１１１，１１２，１１３が水平方向に並置され、その左右端にパイプ１１４,１１５が取り付けられるものである。なお、幅木７０をパイプ１１３に取り付ける場合には、パイプ１１３は円筒形状のものを使用する必要がある。
【００５４】
パイプ１１５には右方には円筒形状の孔部１１５ａ，１１５ｂが設けられている。軸体１０１，１０２を円筒形状に形成し、孔部１１５ａ，１１５ｂに嵌入すれば、パネル１１０は軸体１０１，１０２を回転軸として回転可能となり、つまりはパネル１１０はマンホール柵１００の開閉扉となりうるものである。
【００５５】
パイプ１１４には左方に延出する形態で、板状の留め材１１６が設けられている。この板材１１６はパネル１１０を扉として使用する際に、パネル６０に当接することでパネル１１０が過度にマンホール側に回転することを抑制するものである。
【００５６】
パイプ１１２,１１３,１１４,１１５で囲まれる四角形の空間の四隅には、網体８２或いは樹脂板８３を取り付けるための三角形状の板材１１７が取り付けられている。この板材１１７には孔部１１７ａが設けられており、網体８２に設けた孔部８２ｃ或いは樹脂板８３に設けた孔部８３ｂに位置決めし、ビスなどで網体８２或いは樹脂板８３を固定するものである。
【００５７】
また、パイプ１１１,１１３には、ポール７２を取り付けるための板材１１８，１１８がそれぞれ取り付けられている。板材１１８にはビス孔１１８ａが設けられており、ビスでポール７２を固定することが可能なものである。
【００５８】
パイプ１１４及びパイプ１１５の下部には、幅木７０を固定する際に使用する、方形の板材である固定板１１９が取り付けられている。該固定板１１９に設けられた孔部11９aと、幅木７０の両端に設けられた孔部（不図示）を合わせた状態で蝶ねじを嵌め、固定するものである。
【００５９】
以上のように構成されるフレーム５０,６０,９０，１１０を用いて、図１や図４、図８などに示されるマンホール柵１００を連結し組み立てるものである。この際パネル５０とパネル９０の連結、パネル５０とパネル６０の連結は、請求項１に記載の方法による。すなわち、一方フレームは軸体及び孔部を備え、他方フレームは前記軸体を嵌入可能な孔部及び前記孔部に嵌入可能な軸体を備え、これら一方フレームの軸体と他方フレームの軸体の長さを異なるものと構成してある。
【００６０】
これに対し、フレーム９０とフレーム１１０の連結は、請求項２に記載の方法による。すなわち、連結される一方フレームは長さの異なる複数の軸体を備え、他方フレームは前記軸体を嵌入可能な複数の孔部を備えて構成してある。
【００６１】
むろんこれは一例であり、すべてのフレームを請求項１に記載の手段のみ、あるいは請求項２に記載の手段のみで連結してもよい。また、図示されたように４枚のパネルで、上方から見て四角形状に構成するものに限定されるわけではなく、軸体を孔部に対して回動可能に嵌め込み、板材６６，９６や支持板６６ａ、９６ａの取り付け角度を変えることで６枚のパネルを上方から見て六角形状に形成したり、その他任意の形状に連結組み立てることも可能である。
【００６２】
図２はマンホール柵１００に幅木７０を取り付けた状態を示しており、図３は幅木の取り付け場所付近を示している。幅木７０は方形の板材であり、図３に示されるように円筒形のパイプ６３に、取り付け部材７１を介して回動自在に取り付けられている。取り付け部材７１は円筒形部７１ａと板材部７１ｂを備えるものである。円筒形部７１ａ内には、パイプ６３を円筒形部材７１ａが回動可能な状態で挿入してある。板材部７１ｂには幅木７０をビス等で固定してある。板材部７１ｂに設けた孔部７１ｃは、ビス等を挿入するためのものである。なお、幅木７０はパイプ５３,９３，１１３にも取り付けられるものである。また、幅木７０は固定板５９，６９，９９，１１９に蝶ねじ１で固定することで、揺動を止めることが可能なものである。
【００６３】
ポール７２は、図１に示すように、上方に伸びる板材７２ａの上部において、板材７２ａに対して垂直方向に延設された腕材７３を備えて構成されるものである。腕材７３は板材７２ａに取り付けられた二本の板材７３ａ，７３ａと、板材７３ａ，７３ａ間に掛け渡される二本の板材７３ｂ，７３ｂとにより成るものである。
【００６４】
送風機支持枠７４は、図４に示すようにフレーム間にわたって掛け渡して取り付けられるものである。図５や図６に示されるように送風機支持枠７４は、平行位置に存する二本の板材７５，７５間に板材７８を介在させて構成してある。板材７５と板材７８との間には、斜め方向に二本の板材７７，７７が介在させてある。板材７５，７５の一方端部には直角方向にそれぞれ板材７６,７６が取り付けてある。板材７５の他方端部には、下方に伸びる二本の板材７５ａ，７５ａが設けられている。板材７６の端部には、下方に伸びる二本の板材７６ａ，７６ａが設けられている。これら板材７５ａ，７５ａ、板材７６ａ，７６ａは、該板材間に形成される空間をパイプに嵌め込み、送風機支持枠７４を固定するためのものである。７５ａが取り付けられた端部と逆側の板材７５の端部には、略９０度屈曲された板材７９が取り付けられている。この板材７９，７９を両端とした、板材７５,７７，７８，７７，７５で囲まれた空間に、リング型送風機を嵌め込み使用するものである。
【００６５】
図７はアジャスター８０を示すものである。アジャスター８０は二か所で直角に屈曲された板材、すなわち板材８０ａと、板材８０ａから上方に向け９０度屈曲した板材８０ｂと、板材８０ｂから水平方向に向けて９０度屈曲した板材８０ｃを構成要素とするものである。板材８０ｃには、下端に平板８１ｃを取り付けたボルト８１ａが、回動自在に嵌め込まれており、ナット８１ｂ，８１ｂと合わせて高さ調整を行うものである。
【００６６】
図９は網体８２を示すものである。網体８２は方形の枠材８２ａに金網８２ｂを張設したものである。枠材８２ａの四隅には孔部８２ｃが設けられており、図８においては板材６８の孔部６８ａと重ねたうえでビス等で固着し、フレーム６０に取り付けてある。フレーム５０,９０，１１０に対しても、それぞれ板材５７,９８，１１７に固定することで取り付け可能なものである。
【００６７】
図１０は樹脂板８３を示すものである。樹脂板８３は方形の枠材８３ａに、樹脂製の方形を呈する板材８５を嵌め込んで成るものである。板材８５には複数の通気孔８４が設けてある。枠材８３ａの四隅には孔部８３ｂが設けられており、網体８２の場合と同様に、板材５７,６８，９８，１１７に取り付けることで、フレームに取り付け可能なものである。
【符号の説明】
【００６８】
５０・・フレーム
５４ａ，５５ａ・・孔部
５６・・軸体
６０・・フレーム
６４a・・孔部
６７・・軸体
７０・・幅木
７２・・ポール
７３・・腕木
７４・・送風機支持枠
８０・・アジャスター
８２・・網体
８３・・樹脂板
８４・・通気孔
９０・・フレーム
９５a・・孔部
９７・・軸体
１０１，１０２・・軸体
１１０・・フレーム
１１５ａ，１１５ｂ・・孔部
【図１】
2019138023.tif 000003
【図２】
2019138023.tif 000004
【図３】
2019138023.tif 000005
【図４】
2019138023.tif 000006
【図５】
2019138023.tif 000007
【図６】
2019138023.tif 000008
【図７】
2019138023.tif 000009
【図８】
2019138023.tif 000010
【図９】
2019138023.tif 000011
【図１０】
2019138023.tif 000012
【図１１】
2019138023.tif 000013
【図１２】
2019138023.tif 000014
【図１３】
2019138023.tif 000015
【図１４】
2019138023.tif 000016
【図１５】
2019138023.tif 000017
【図１６】
2019138023.tif 000018
【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
方形のフレームを連結して形成されるマンホール用柵であって、連結される一方フレームは軸体及び孔部を備え、他方フレームは前記軸体を嵌入可能な孔部及び前記一方フレームに設けた孔部に嵌入可能な軸体を備え、これら一方フレームの軸体と他方フレームの軸体の長さを異なるものとしたマンホール柵。
【請求項２】
方形のフレームを連結して形成されるマンホール用柵であって、連結される一方フレームは長さの異なる複数の軸体を備え、他方フレームは前記軸体を嵌入可能な複数の孔部を備えたマンホール柵。
【請求項３】
フレームの下部に揺動可能な幅木を取り付けた請求項１又は請求項２に記載のマンホール柵。
【請求項４】
上部において略水平方向に延設された腕材を備えたポールを、フレームに取り付けた請求項１乃至請求項３いずれかに記載のマンホール柵。
【請求項５】
フレーム間にわたって枠材を掛け渡して、送風機支持枠を形成した請求項１乃至請求項４いずれかに記載のマンホール柵。
【請求項６】
フレーム下端にアジャスターを取り付けた請求項１乃至請求項５いずれかに記載のマンホール柵。
【請求項７】
フレームの下部に網体を取り付けた請求項１乃至請求項６いずれかに記載のマンホール柵。
【請求項８】
フレームの下部に複数の通気孔を備えた樹脂板を取り付けた請求項１乃至請求項６いずれかに記載のマンホール柵。        
【手続補正書】
【提出日】平成30年9月7日(2018.9.7)
【手続補正１】
【補正対象書類名】特許請求の範囲
【補正対象項目名】全文
【補正方法】変更
【補正の内容】
【特許請求の範囲】
【請求項１】
方形のフレームを連結して形成されるマンホール用柵であって、連結される一方フレームは軸体及び孔部を備え、他方フレームは前記軸体を嵌入可能な孔部及び前記一方フレームに設けた孔部に嵌入可能な軸体を備え、これら一方フレームの軸体と他方フレームの軸体の長さを異なるものとしたマンホール柵。
【請求項２】
フレームの下部に揺動可能な幅木を取り付けた請求項１に記載のマンホール柵。
【請求項３】
上部において略水平方向に延設された腕材を備えたポールを、フレームに取り付けた
請求項１又は請求項２に記載のマンホール柵。
【請求項４】
フレーム間にわたって枠材を掛け渡して、送風機支持枠を形成した請求項１乃至請求
項３いずれかに記載のマンホール柵。
【請求項５】
フレーム下端にアジャスターを取り付けた請求項１乃至請求項４いずれかに記載のマ
ンホール柵。
【請求項６】
フレームの下部に網体を取り付けた請求項１乃至請求項５いずれかに記載のマンホー
ル柵。
【請求項７】
フレームの下部に複数の通気孔を備えた樹脂板を取り付けた請求項１乃至請求項５い
ずれかに記載のマンホール柵。